(57)【要約】【課題】マストに沿った昇降機能を阻害することなく、地震等の水平力に対するジブの剛性を向上させ、該ジブの構造の安定化を図り得るクライミングクレーンのジブ構造を提供する。【解決手段】ジブ５の貫通部１２に、クレーン荷役作業時には装着され且つ昇降ユニットによる昇降時には取り外される補強部材１３を着脱自在に配設する。【選択図】図１
2010018416.tif 000002
【特許請求の範囲】
【請求項１】
上方へマストブロックを順次継ぎ足し可能なマストの頂部に、該マストに沿って昇降可能な昇降ユニットを介して旋回体を旋回自在に配置し、該旋回体上にジブを起伏自在に取り付け、該ジブの基端部に、前記マストが貫通可能な貫通部を形成してなるクライミングクレーンのジブ構造であって、
前記ジブの貫通部に、クレーン荷役作業時には装着され且つ前記昇降ユニットによる昇降時には取り外される補強部材を着脱自在に配設したことを特徴とするクライミングクレーンのジブ構造。
【請求項２】
前記ジブを構成する骨格部材の所要箇所にブラケットを取り付け、該ブラケット間に掛け渡すよう前記補強部材を締結部材にて装着することにより、前記ジブの貫通部にトラス構造が形成されるようにした請求項１記載のクライミングクレーンのジブ構造。 
【発明の詳細な説明】
【技術分野】
【０００１】
本発明は、クライミングクレーンのジブ構造に関するものである。
【背景技術】
【０００２】
一般に、ビル等の構築物を建設する際にはクライミングクレーンが用いられている。
【０００３】
図３は従来のクライミングクレーンの一例を示す概略図であって、クライミングクレーン１は、上方へマストブロック２ａを順次継ぎ足し可能なマスト２の頂部に、該マスト２に沿って昇降可能な昇降ユニット３を介して旋回体４を旋回自在に配置し、該旋回体４上にジブ５を起伏自在に取り付け、前記旋回体４に、後方へ延びるカウンタフレーム６を一体に設け、該カウンタフレーム６上に、吊荷用フック７を吊り下げるワイヤロープ８を巻上げ下げするための巻上装置９と、ジブ５の起伏用のワイヤロープ１０を巻上げ下げするための起伏装置１１とを設置してなる構成を有している。
【０００４】
一方、図３に示されるようなマスト２を地上から自立させるタイプのクライミングクレーン１の他に、超高層ビル等の構築物建設予定地の内側に所要高さのクライミングクレーンを設置し、該クライミングクレーンにより建築資材を吊上げて複数のフロアを構築し、該構築したフロアの梁にクライミングクレーンのマストを支持せしめ、クライミングクレーンを上昇させて再び上部にフロアを構築する作業を繰り返すことにより、順次上方に工事を行って超高層ビル等の構築物を建設するようにしたタイプのクライミングクレーン（例えば、特許文献１参照）もある。
【特許文献１】特開２００１−１３０８７０号公報
【発明の開示】
【発明が解決しようとする課題】
【０００５】
ところで、図３や特許文献１に示されるような従来のクライミングクレーン１においては、該クライミングクレーン１を昇降ユニット３によりマスト２に沿って昇降させる際、該マスト２がジブ５を貫通する必要があるため、該ジブ５の基端部には、図４に示される如く、マスト２が貫通可能な貫通部１２を形成してある。
【０００６】
しかしながら、前述の如く、ジブ５の基端部に貫通部１２が形成されている構造は、水平力に対して力学的に不利であり、特に近年のように、大きな地震が多発している状況においては、その改善が急務となっている。
【０００７】
本発明は、斯かる実情に鑑み、マストに沿った昇降機能を阻害することなく、地震等の水平力に対するジブの剛性を向上させ、該ジブの構造の安定化を図り得るクライミングクレーンのジブ構造を提供しようとするものである。
【課題を解決するための手段】
【０００８】
本発明は、上方へマストブロックを順次継ぎ足し可能なマストの頂部に、該マストに沿って昇降可能な昇降ユニットを介して旋回体を旋回自在に配置し、該旋回体上にジブを起伏自在に取り付け、該ジブの基端部に、前記マストが貫通可能な貫通部を形成してなるクライミングクレーンのジブ構造であって、
前記ジブの貫通部に、クレーン荷役作業時には装着され且つ前記昇降ユニットによる昇降時には取り外される補強部材を着脱自在に配設したことを特徴とするクライミングクレーンのジブ構造にかかるものである。
【０００９】
上記手段によれば、以下のような作用が得られる。
【００１０】
ジブの基端部に形成されている貫通部は、クレーン荷役作業時には補強部材が装着され剛性が高められているため、地震等の水平力が作用しても問題はなく、又、クライミングクレーンを昇降ユニットによりマストに沿って昇降させる際には、前記貫通部から補強部材が取り外され、マストがジブを貫通可能となるため、クライミングクレーンのマストに沿った昇降機能が阻害される心配も全くない。
【００１１】
前記クライミングクレーンのジブ構造においては、前記ジブを構成する骨格部材の所要箇所にブラケットを取り付け、該ブラケット間に掛け渡すよう前記補強部材を締結部材にて装着することにより、前記ジブの貫通部にトラス構造が形成されるようにすることができる。
【発明の効果】
【００１２】
本発明のクライミングクレーンのジブ構造によれば、マストに沿った昇降機能を阻害することなく、地震等の水平力に対するジブの剛性を向上させ、該ジブの構造の安定化を図り得るという優れた効果を奏し得る。
【発明を実施するための最良の形態】
【００１３】
以下、本発明の実施の形態を添付図面を参照して説明する。
【００１４】
図１及び図２は本発明を実施する形態の一例であって、図中、図３及び図４と同一の符号を付した部分は同一物を表わしており、基本的な構成は図３及び図４に示す従来のものと同様であるが、本図示例の特徴とするところは、図１及び図２に示す如く、ジブ５の貫通部１２に、クレーン荷役作業時には装着され且つ昇降ユニット３による昇降時には取り外される補強部材１３を着脱自在に配設した点にある。
【００１５】
本図示例の場合、前記ジブ５を構成する骨格部材５ａ，５ｂの所要箇所にブラケット１４を溶接等によって取り付け、該ブラケット１４間に掛け渡すよう前記補強部材１３をボルト・ナット等の締結部材１５にて装着することにより、前記ジブ５の貫通部１２にトラス構造が形成されるようにしてある。
【００１６】
次に、上記図示例の作用を説明する。
【００１７】
ジブ５の基端部に形成されている貫通部１２は、クレーン荷役作業時には、図１に示す如く、ブラケット１４間に掛け渡すよう締結部材１５にて補強部材１３が装着され、トラス構造が形成されて剛性が高められているため、地震等の水平力が作用しても問題はない。
【００１８】
又、クライミングクレーン１を昇降ユニット３によりマスト２に沿って昇降させる際には、前記締結部材１５を緩めて、図２に示す如く、前記貫通部１２から補強部材１３が取り外され、マスト２がジブ５を貫通可能となるため、クライミングクレーン１のマスト２に沿った昇降機能が阻害される心配も全くない。
【００１９】
こうして、マスト２に沿った昇降機能を阻害することなく、地震等の水平力に対するジブ５の剛性を向上させ、該ジブ５の構造の安定化を図り得る。
【００２０】
尚、本発明のクライミングクレーンのジブ構造は、上述の図示例にのみ限定されるものではなく、本発明の要旨を逸脱しない範囲内において種々変更を加え得ることは勿論である。
【図面の簡単な説明】
【００２１】
【図１】本発明を実施する形態の一例におけるジブを示す要部平面図であって、クレーン荷役作業時の状態図である。
【図２】本発明を実施する形態の一例におけるジブを示す要部平面図であって、昇降時の状態図である。
【図３】従来のクライミングクレーンの一例を示す全体概略図である。
【図４】従来のクライミングクレーンの一例におけるジブを示す全体平面図である。
【符号の説明】
【００２２】
１    クライミングクレーン
２    マスト
２ａ  マストブロック
３    昇降ユニット
４    旋回体
５    ジブ
５ａ  骨格部材
５ｂ  骨格部材
１２    貫通部
１３    補強部材
１４    ブラケット
１５    締結部材
【図１】
2010018416.tif 000003
【図２】
2010018416.tif 000004
【図３】
2010018416.tif 000005
【図４】
2010018416.tif 000006